(57)【要約】【課題】所望の自律神経の活性度状態になるように記録された関係情報からコンテンツを選択し表示再生させる装置を提供する。【解決手段】脈拍検出部１０１、脈拍メモリ部１０２、自律神経活性度処理部１０３を介して自律神経の活性度を検出し、これに基づき、ユーザーは、入力操作部１０９より所望の自律神経の活性度状態になるように記録された関係情報からコンテンツを特定する。選択制御部１０８は、表示再生制御部１０５を介してコンテンツメモリ部１０４から映像等のコンテンツデータを選択し表示再生部１０６に転送して表示再生動作を開始する。再生は、コンテンツデータの終わりまで再生すると終了されるが、途中で、停止コマンドが表示再生制御部１０５へ転送されても終了される。【選択図】        図１
2007323171.tif 000002
【特許請求の範囲】
【請求項１】
生体情報を検出し、該生体情報の特徴からコンテンツを選択し表示、再生するコンテンツ再生システムにおいて、
生体情報である脈拍数を検出する脈拍検出手段と、
前記脈拍検出手段からの検出データを記録する記録手段と、
前記検出データから自律神経の活性度値を求める自律神経活性度処理手段と、
コンテンツを表示再生するコンテンツ再生手段と、
前記コンテンツ再生時の前記自律神経の活性度値と前記コンテンツの識別情報とを共に記録する情報記録手段と、を有することを特徴とするコンテンツ再生システム。
【請求項２】
生体情報を検出し、該生体情報の特徴からコンテンツを選択し表示、再生するコンテンツ再生システムにおいて、
生体情報である脈拍数を検出する脈拍検出手段と、
前記脈拍検出手段からの検出データを記録する記録手段と、
前記検出データから自律神経の活性度値を求める自律神経活性度処理手段と、
前記コンテンツ再生時の前記自律神経の活性度値と前記コンテンツの識別情報とを共に記録する情報記録手段と、
前記コンテンツの再生開始前の前記自律神経の活性度値と、前記情報記録手段に記録された前記自律神経の活性度値とを比較する活性度値比較手段と、
前記活性度値比較手段からの比較値が大または小または等価を選択条件にして、前記情報記録手段に記憶された前記自律神経の活性度値に関係付けられたコンテンツを選択し表示、再生するコンテンツ再生手段と、を有することを特徴とするコンテンツ再生システム。
【請求項３】
前記コンテンツ再生手段は、２種以上の複数の前記コンテンツの組み合わせ順序で表示、再生し、
前記情報記録手段は、２種以上の複数の前記コンテンツの再生時における時系列的な前記自律神経の活性度と、前記コンテンツの識別情報と、組み合わせ順序情報とからなる同期情報を記録する同期情報記録手段を有することを特徴とする請求項１に記載のコンテンツ再生システム。
【請求項４】
生体情報を検出し、該生体情報の特徴からコンテンツを選択し表示、再生するコンテンツ再生システムにおいて、
生体情報である脈拍数を検出する脈拍検出手段と、
前記脈拍検出手段からの検出データを記録する記録手段と、
前記検出データから自律神経の活性度値を求める自律神経活性度処理手段と、
前記情報記録手段は、２種以上の複数の前記コンテンツの再生時における時系列的な前記自律神経の活性度と、前記コンテンツの識別情報と、組み合わせ順序情報とからなる同期情報を記録する同期情報記録手段と、
前記コンテンツの再生開始前の前記自律神経の活性度値と、前記同期情報のうちの前記コンテンツ再生の初期区間における前記自律神経の活性度値とを比較する活性度初期値比較手段と、
前記活性度初期値比較手段からの比較値が等価であることを選択条件にして前記同期情報記録手段に記憶された前記組み合わせ順序情報に基づくデータを選択し、２種以上の複数の前記コンテンツを表示、再生するコンテンツ再生手段と、を有することを特徴とするコンテンツ再生システム。
【請求項５】
前記コンテンツ再生前の前記自律神経の活性度値と、前記同期情報のうちの前記コンテンツ再生の終了区間における前記自律神経の活性度値とを比較する手段をさらに有し、
前記コンテンツ再生手段は、該比較した値が大または小または等価を選択条件にして前記同期情報記録手段に記憶された前記組み合わせ順序情報に基づくデータを選択し、２種以上の複数の前記コンテンツを表示、再生することを特徴とする請求項４に記載のコンテンツ再生システム。
【請求項６】
前記自律神経活性度処理手段による前記自律神経の活性度値と、前記同期情報記録手段に記憶された時系列的な前記自律神経の活性度値とを比較する時系列活性度パターン比較手段と、
時系列活性度パターン比較手段からの該パターン比較値に基づいて同定判定する判定手段と、
前記判定手段からの判定値によりコンテンツの表示再生を、継続または停止または前記同期情報記録手段に記憶された前記組み合わせ順序情報の別のデータを選択し２種以上の複数の前記コンテンツを変更して表示再生する適応再生制御手段と、を有することを特徴とする請求項５に記載のコンテンツ再生システム。
【発明の詳細な説明】
【技術分野】
【０００１】
本発明は、コンテンツ再生システムに関する。より詳しくは、映像や音楽などの視聴コンテンツおよび五感を含めた表示コンテンツの表示再生に関わっているコンテンツ選択支援再生システムに関する。
【背景技術】
【０００２】
近年、記憶媒体の大容量化や映像音声データの圧縮技術が進歩してきている。音楽再生機器内には膨大な量の映像コンテンツや音楽コンテンツが記録されている。そして、その中から希望のコンテンツを検索または選択して再生できる時代となった。
【０００３】
また、ストレスの多い時代となっている。このため、癒しなどリラクゼーションによって、ストレスを解消するツールやサービスが流行しそうな兆しがある。ユーザーは、それらツールやサービスを自身で勝手に判断選択して使うが、効いているような、効いていないような、その効果が曖昧な状態で利用されているのが実情である。また、それらツールやサービスの利用後に自律神経など体の状態が変化していることを確認するコンシューマ向けの適当な機器がないのも実情である。
【０００４】
ここにおいて、例えば特許文献１では、生体情報から感情心理状態を反映したコンテンツの選択指定の再生方法・装置およびコンテンツ配信システムを提案している。
【０００５】
特許文献１で提案されているものは、聴く前の生体情報を検知して感情心理状態を判断するように意図されている。そして、特許文献１では、感情心理状態を生体情報である心拍数の多少の変化を捉える構成である。
【０００６】
【特許文献１】特開２００４−２４６５３５号公報
【発明の開示】
【発明が解決しようとする課題】
【０００７】
自律神経は、感情心理によっても変化するようではある。しかし、自律神経を変化させる条件は感情心理だけではない。ユーザーの自律神経状態を捉え、所望の自律神経状態にコントロールしようとするには、例えば交感神経や副交感神経の各反応を捉える、所謂、自律神経の活性度を検出する技術構成などが必要とされる。特許文献１には、このような技術構成は開示されていない。
【０００８】
また、コンテンツを選択した後再生し視聴してみた場合であっても、ユーザーが希望するような自律神経の活性状態には必ずしもならないこともしばしばある。この場合には、ユーザーが自らの意思で、コンテンツ再生の停止や変更アクションを起こさない限り、そのまま表示再生を続けることになる。
【０００９】
本発明は、上述したような従来の実情に鑑みてなされたもので、コンテンツを視聴したときの自律神経の活性度情報とそのコンテンツの識別情報を関係付けさせて情報記録し、ユーザーが視聴する前に自律神経の活性度状態を検出し、所望の自律神経の活性度状態になるように記録された関係情報からコンテンツを選択し表示再生させる装置を提供することを目的とする。
【００１０】
また、コンテンツを視聴しているとき自律神経の活性度を検出し所望の状態にならない場合、停止またはコンテンツを再選択し表示再生させる装置を提供することを目的とする。
【課題を解決するための手段】
【００１１】
上述した課題を解決し、目的を達成するために、本発明に係るコンテンツ再生システムは、生体情報を検出し、該生体情報の特徴からコンテンツを選択し表示、再生するコンテンツ再生システムであって、生体情報である脈拍数を検出する脈拍検出手段と、前記脈拍検出手段からの検出データを記録する記録手段と、前記検出データから自律神経の活性度値を求める自律神経活性度処理手段と、コンテンツを表示再生するコンテンツ再生手段と、前記コンテンツ再生時の前記自律神経の活性度値と前記コンテンツの識別情報とを共に記録する情報記録手段と、を備えて構成される。
【００１２】
また、本発明に係るコンテンツ再生システムは、生体情報を検出し、該生体情報の特徴からコンテンツを選択し表示、再生するコンテンツ再生システムであって、生体情報である脈拍数を検出する脈拍検出手段と、前記脈拍検出手段からの検出データを記録する記録手段と、前記検出データから自律神経の活性度値を求める自律神経活性度処理手段と、前記コンテンツ再生時の前記自律神経の活性度値と前記コンテンツの識別情報とを共に記録する情報記録手段と、前記コンテンツの再生開始前の前記自律神経の活性度値と、前記情報記録手段に記録された前記自律神経の活性度値とを比較する活性度値比較手段と、前記活性度値比較手段からの比較値が大または小または等価を選択条件にして、前記情報記録手段に記憶された前記自律神経の活性度値に関係付けられたコンテンツを選択し表示、再生するコンテンツ再生手段と、を備えて構成される。
【００１３】
また、本発明の好ましい態様によれば、前記コンテンツ再生手段は、２種以上の複数の前記コンテンツの組み合わせ順序で表示、再生し、前記情報記録手段は、２種以上の複数の前記コンテンツの再生時における時系列的な前記自律神経の活性度と、前記コンテンツの識別情報と、組み合わせ順序情報とからなる同期情報を記録する同期情報記録手段を備えて構成されることができる。
【００１４】
また、本発明に係るコンテンツ再生システムは、生体情報を検出し、該生体情報の特徴からコンテンツを選択し表示、再生するコンテンツ再生システムであって、生体情報である脈拍数を検出する脈拍検出手段と、前記脈拍検出手段からの検出データを記録する記録手段と、前記検出データから自律神経の活性度値を求める自律神経活性度処理手段と、記情報記録手段は、２種以上の複数の前記コンテンツの再生時における時系列的な前記自律神経の活性度と、前記コンテンツの識別情報と、組み合わせ順序情報とからなる同期情報を記録する同期情報記録手段と、前記コンテンツの再生開始前の前記自律神経の活性度値と、前記同期情報のうちの前記コンテンツ再生の初期区間における前記自律神経の活性度値とを比較する活性度初期値比較手段と、前記活性度初期値比較手段からの比較値が等価であることを選択条件にして前記同期情報記録手段に記憶された前記組み合わせ順序情報に基づくデータを選択し、２種以上の複数の前記コンテンツを表示、再生するコンテンツ再生手段と、を備えて構成される。
【００１５】
また、本発明の好ましい態様によれば、前記コンテンツ再生前の前記自律神経の活性度値と、前記同期情報のうちの前記コンテンツ再生の終了区間における前記自律神経の活性度値とを比較する手段をさらに有し、前記コンテンツ再生手段は、該比較した値が大または小または等価を選択条件にして前記同期情報記録手段に記憶された前記組み合わせ順序情報に基づくデータを選択し、２種以上の複数の前記コンテンツを表示、再生することを特徴とすることができる。
【００１６】
また、本発明の好ましい態様によれば、更に、前記自律神経活性度処理手段による前記自律神経の活性度値と、前記同期情報記録手段に記憶された時系列的な前記自律神経の活性度値とを比較する時系列活性度パターン比較手段と、時系列活性度パターン比較手段からの該パターン比較値に基づいて同定判定する判定手段と、前記判定手段からの判定値によりコンテンツの表示再生を、継続または停止または前記同期情報記録手段に記憶された前記組み合わせ順序情報の別のデータを選択し２種以上の複数の前記コンテンツを変更して表示再生する適応再生制御手段と、を含んで構成することができる。
【発明の効果】
【００１７】
本発明に係るコンテンツ再生システムは、コンテンツを視聴したときの自律神経の活性度情報とそのコンテンツの識別情報を関係付けさせて情報記録し、ユーザーが視聴する前に自律神経の活性度状態を検出し、所望の自律神経の活性度状態になるように記録された関係情報からコンテンツを選択し表示再生させることができる。
【００１８】
また、コンテンツを視聴しているとき自律神経の活性度を検出し所望の状態にならない場合、停止またはコンテンツを再選択し表示再生させることができる。
【発明を実施するための最良の形態】
【００１９】
以下に、本発明に係るコンテンツ再生システムの実施例を図面に基づいて詳細に説明する。なお、これら実施例により、この発明が限定されるものではない。
【実施例１】
【００２０】
図１は、実施例１に係るコンテンツ再生システムの構成を、ブロック図を用いて示している。本コンテンツ再生システムは、使用者の身体に脈波センサを装着して脈拍情報を検出し、その信号から自律神経の活性度を求める、一方、映像・画像・音声などのコンテンツを選択して表示再生し、再生前後に自律神経の活性度の情報と、コンテンツの識別情報と、を関係付けて記録するものである。
【００２１】
図１において、脈拍検出部１０１は、人体１に装着され脈拍が検出される部分である。脈拍検出部１０１は、赤外線発受光方式によるセンサで作られている。脈拍検出部１０１は、脈波を検出後、例えば２ｍｓｅｃから８ｍｓｅｃ程度のタイミング（周期）でサンプリングして、その脈波信号から脈拍のＲＲ時間を検出する。ＲＲ時間とは脈波波形のＲ点から次の脈波波形のＲ点までの時間である。ここにおいて、脈拍検出部１０１が、本発明に係る脈拍検出手段に相当する。
【００２２】
その時間データはデジタルデータであり、次の脈拍メモリ部１０２へ転送され順次記録される。そのデータ列は、次の自律神経活性度処理部１０３に順次まとまって転送される。
【００２３】
そして、ＲＲ時間データ列は周波数分析され、交感神経または副交感神経の活性度合いである自律神経の活性度が求められる。ここにおいて、脈拍メモリ部１０２が本発明に係る記録手段に相当し、自律神経活性度処理部１０３が本発明に係る自律神経活性度処理手段に相当する。
【００２４】
ここでは周波数分析処理されて低周波成分のパワースペクトル値が演算される。その演算手法は高速フーリエ変換法（ＦＦＴ法）や最大エントロピー法など周知の手法を用いることができる。ここで、低周波成分のパワースペクトル値はさらに２つの低周波領域での成分値が求められ、評価しやすいように規格化など数値化処理される。
【００２５】
本実施例では、映像・画像・音声などのコンテンツデータがコンテンツメモリ部１０４に予め記録されており、そのコンテンツを表示再生制御部１０５で選択して表示再生部１０６に転送し表示再生される構成としている。表示再生とは、視覚としては動画像コンテンツや静止画像コンテンツをＬＣＤディスプレイモニタにて人体１に示すことを想定している。また、聴覚としては音楽楽曲など音声コンテンツをスピーカにて人体１に示すことを想定している。
【００２６】
ここ以後の説明でのコンテンツの再生とは、ディスプレイやスピーカにて表示するものは視聴覚のみならず触覚、温度感覚や湿度感覚、送風、味覚、嗅覚、振動などを含んだ広い意味でのディスプレイ機器による表示再生を言う。また、コンテンツとはそれらのディスプレイ情報を含むものを言う。このように様々な表示手段があるが、ここでは簡単にコンテンツを楽曲データとして、再生は音楽再生として説明することとしている。
【００２７】
情報メモリ部１０７にはコンテンツメモリ部１０４にあるコンテンツの識別情報が記録されている。そして、ある楽曲データを再生しているときにはそのコンテンツ識別情報と共に、自律神経活性度処理部１０３から再生中および前後での自律神経の活性度値の情報を関連付けて情報メモリ部１０７に記録されるようにしている。ここにおいて、コンテンツメモリ部１０４及び情報メモリ部１０７が、本発明に係る情報記録手段として機能する。
【００２８】
選択制御部１０８は情報メモリ部１０７の情報の記録時や読み出し時の制御を行う。入力操作部１０９は、ユーザーがシステムに対して動作モードの選択や各種コンテンツの選択指示や再生ＯＮ／ＯＦＦ指示などすべての入力の操作を行う人とシステムとのインターフェースである。また、選択制御部１０８にてシステムは制御される。
【００２９】
その他の構成では、図示していないが電源部やユーザーに向けての表示部や全体の制御部がある。
【００３０】
次に、動作の詳細を説明する。脈拍検出部１０１に設けられた発光素子から近赤外光を発光して人体１の例えば腕に向けて照射する。動脈から酸化血液の脈流に応じた強度変化を伴った反射光を脈拍検出部１０１に設けられた受光素子で受光する。その光強度変化を電気信号強度変化に変換する。
【００３１】
光強度変化は微弱であり、その信号を処理し易いような信号強度まで増幅器にて増幅する。その信号は脈拍検出部１０１内にあるノイズフィルタを通して不要な雑音が除去されＡＤ変換されアナログ信号からデジタル信号に２ｍｓｅｃ程度のタイミング（周期）でサンプリング変換される。さらに脈波波形でいうピークＲ点の位置を検出しそのＲ点から次の脈波波形のＲ点までの時間を計測してＲＲ時間を検出する。その時間データはデジタルデータである。
【００３２】
ＲＲ時間データは次の脈拍メモリ部１０２へ転送されると順次記録されＲＲ時間データ列として得られる。そのデータ列は次の自律神経活性度処理部１０３に順次まとまって転送される。そこでは、ＦＦＴ法で処理する場合、ＦＦＴ法特有の処理誤差を生じさせないように処理前に等時間配列に再配列する行う必要がある。このため、補間処理のような等時間配列処理され適切に演算される。
【００３３】
更には必要に応じウィンドウ関数を演算データ範囲にかけて処理される。この脈拍信号はゆらぎ信号でもあり、低周波領域での周波数分析することによって自律神経機能が検出される。なお、関係文献として、例えば井上編著「循環器疾患と自律神経機能第２版」医学書院がある。
【００３４】
ＦＦＴ処理後、低周波領域内で２つの主要な成分に分けられる。ここではＬＦと称される０．０４Ｈｚから０．１５Ｈｚにある成分の低周波成分の値と、ＨＦと称される０．１５Ｈｚ以上にある成分の高周波成分の値と、を演算し、次の情報メモリ部１０７に出力され記録される。
【００３５】
このＬＦ、ＨＦの各値が、交感神経の活性度と副交感神経の活性度具合に対応する。広く知られているＬＦ／ＨＦの値の大小で交感神経が優位になっているか副交感神経が優位になっているかを判別してもよい。この値も情報メモリ部１０７に記録される。また評価しやすいように規格化など数値化処理されている。この自律神経の活性度の検出は後述のコンテンツ再生動作にかかわらず検出される。
【００３６】
ユーザーはシステムの動作モードとして、「コンテンツ−自律神経活性度記録モード」を入力制御部１０９にて指示すると、コンテンツ再生時の自律神経の活性度が記録される動作モードに入る。
【００３７】
その後、情報メモリ部１０７にあるコンテンツ識別情報が図示していない表示部に表示され、ユーザーがそれを見て入力操作部１０９よりコンテンツを特定する。システムは、コンテンツ選択制御として選択制御部１０８により、表示再生制御部１０５を介してコンテンツメモリ部１０４から映像・画像・音声などのコンテンツデータを選択する。そして、表示再生部１０６に転送すると、表示再生動作を開始する。  
【００３８】
再生は、コンテンツデータの終わりまで再生すると終了処理する。また、途中に、選択制御部１０８から停止コマンドが表示再生制御部１０５へ転送されても再生停止するように制御される。ここにおいて、表示再生制御部１０５、表示再生部１０６、選択制御部１０８が、本発明に係るコンテンツ再生手段の一部として機能する。
【００３９】
「コンテンツ−自律神経活性度記録モード」時には、再生中および再生前後にも、前記の自律神経の活性度の検出が行われ、選択制御部１０８の制御によって、再生コンテンツの識別情報と共に自律神経活性度値情報が関係付けられて情報メモリ部１０７にデータ記録される。
【００４０】
情報メモリ部１０７はユーザー別に再生コンテンツの識別情報と自律神経活性度値情報の関係情報が記録できるように制御される。
【００４１】
また、コンテンツ識別情報は、その拡張情報として、表示再生部のハード構成情報や、音量や音質などの音設定、画質などの表示設定、雰囲気などの環境設定などの再生条件設定の情報も含むことを想定している。さらに、後述する実施例２以降の実施上、その情報を用いることで再生条件設定の復元ができることも想定している。
【００４２】
情報メモリ部１０７に記録されたデータは１回のコンテンツ視聴による情報記録として説明している。これに対して、同一コンテンツを複数回視聴したときの情報記録の場合は、データの上書きモードと選択制御部１０８による自律神経の活性度値の平均化処理モード記録または回数に応じたウェイト付け平均化処理モード記録を行っても良い。さらに他のユーザーの自律神経活性度データとの重畳平均化処理モード記録なども行うことができる。
【００４３】
情報メモリ部１０７に記録されたコンテンツの識別情報とそれを視聴したときの自律神経の活性度情報を読み取るとき、ユーザーはシステムの動作モードとして、「コンテンツ−自律神経活性度読み取りモード」を入力制御部１０９にて指示する。
【００４４】
選択制御部１０８が情報メモリ部１０７に記録された情報を検索し、図示していない表示部に自律神経の活性度情報が表示される。このとき、自律神経の活性度情報は、交感神経の活性度値や副交感神経の活性度値やＬＦ／ＨＦ値の数値データである。
【００４５】
このため、数値文字としての表示やグラフ表示や、「交感神経が大の状態」、「副交感神経が大の状態」、「普通の状態」などの表現言葉で示すようにしている。また、表現方法はこれだけでなく素人でも理解し易い表現の表示を用いることができる。
【００４６】
上述したような構成を備えた本実施例によれば、コンテンツを表示再生しているとき、ユーザーが視聴したときのコンテンツに対する自律神経の活性度情報をコンテンツの識別情報と共にデータベースとして自動的に作成することができる。
【００４７】
また、コンテンツと自律神経の活性度関係のエビデンスデータ（医学的に根拠のあるデータ）の採取ツールとして用いることができる。更に、コンテンツがその人にどれくらい自律神経の活性度の変化を与えるのかを知ることができる。加えて、自律神経の活性度状態を変えたいときや希望する自律神経の活性状態にするときに利用できるコンテンツの種類を知ることができる。
【００４８】
ここで、図２〜図４に、図１で示した本実施例に係る脈拍検出部１０１の検出部分の一部分と表示再生部１０６の一部分を一体型にして人体１の耳部に装着できるようにした脈波センサ付イヤースピーカ１０の装置例を示す。
【００４９】
図２は、耳の外耳道部２１に脈波センサ付イヤースピーカ１０が装着されているところを示している。外耳道２１の奥には、鼓膜２２、鼓室２３、耳小骨２４が存在している。
【００５０】
図３は、その脈波センサ付イヤースピーカ１０の内部構造を示す。脈波センサ付イヤースピーカ１０の筐体であるインナーピース１２に脈波を検出するために近赤外光を発光する発光素子１４と、その受光素子１８を設けている。
【００５１】
また、発光を外耳道２１内の動脈の血管１６付近に集束させて照射する発光側レンズ１５と、血管１６からの反射光を集光するための受光側レンズ１７とを、発光素子面と受光素子面にそれぞれ設けている。
【００５２】
また、インナーピース１２に、スピーカであるヘッドホンの振動板１９を設けている。また、その振動板１９から発された音響振動を耳の鼓膜へ伝えるために音響孔１３が設けられている。なお、発光素子１４とその受光素子１８に接続される信号線やスピーカの振動板１９に接続される駆動信号線があるが、ここでは図示を省略している。
【００５３】
図４は、図３のセンサ部分の断面を示している。発光側レンズ１５や受光側レンズ１７は、このような形状に限定されるものではなく、血管１６に集束できその反射光を集光できれば他の形状とすることができるものである。
【００５４】
また、図４では外耳道２１にインナーピース１２が密着しているように表示しているが、この集束集光するレンズの機能により、隙間が生じても血管１６に対する適切な発光受光を行うことができるため、検出を確実なものとすることができる。
【００５５】
次に、図２〜図４に示した脈波センサ付イヤースピーカ１０の動作を説明する。図１に示す脈拍検出器１０１より断続または継続した発光制御された信号が発光素子１４へ伝えられると、それと同期して赤外光を発光する。発光された光は、発光側レンズ１５を通って発光側レンズ１５の円筒表面に到達し、更に外耳道２１周辺に入射される。
【００５６】
そのとき放射された光は、レンズの屈折率１．９と人体の屈折率１．３７に応じた屈折を生じ外耳道２１周辺で集束され血管１６付近に照射される。血管１６に照射された光は、脈流の変動に応じた反射光となり受光側レンズ１７に入射される。
【００５７】
そして、光の束は広げられて受光素子１８の面に入射される。光が入射された受光素子１８は、光の強度に応じた電流の強度に変換され、その信号は図１に示す脈拍検出器１０１に伝えられる。
【００５８】
外耳道２１周辺の各組織からの散乱光の強度に対し血管１６付近からの脈流変動を伴った反射光強度は微弱である。このため、その変動している信号のみを処理可能な信号強度レベルまで増幅する。増幅された信号のあとは前述したように脈拍信号として処理される。
【００５９】
ここでの発光レーザーの使用波長は９４０ｎｍ位の近赤外光レーザーを用いている。この周波数の光を人体表面に投射すると表面近くにある動脈辺りに照射される。そして、脈流に応じた光強度変化を伴った光が散乱反射される性質を用いている。
【００６０】
このセンサを機能させながら、図１に示す表示再生部１０６にて音声コンテンツの再生を行う際スピーカである振動板１９へ音響駆動信号を伝える。この振動板１９が振動することで鼓膜へ音が伝わる。
【００６１】
これにより人体１は音声コンテンツを聴くことができる。そのとき人体１が反応し自律神経が活性し身体各部へ影響を与える。その反応の一つである心拍ゆらぎを血管の動脈から脈拍変動としてこのセンサで検知し自律神経の活性度が検出される。
【００６２】
また、コンテンツ視聴直前に自律神経の活性度を検出する必要がある。このため、脈波センサ付イヤースピーカ１０を視聴直前から耳に装着して利用することが望ましい。
【００６３】
上述した図２〜図４に示した脈波センサ付イヤースピーカ１０によれば、センサ検出部と再生スピーカ部を小型一体型にしている。このため、人体に簡単にかつ確実に装着することができる。また、確実に情報を検出し、かつ、このコンテンツ再生システムを利用する際センサを意識しないで使用することができる。
【実施例２】
【００６４】
図５は、実施例２に係るコンテンツ再生システムのブロック図を示している。本コンテンツ再生システムは、コンテンツを視聴する前にユーザーの自律神経の活性度値を検出し、ユーザーが希望する自律神経の活性度状態を入力し、その状態情報の比較により前もって自律神経の活性度値と関係付けられたコンテンツを自動的に選び表示再生する。
【００６５】
図５に示す本実施例は、図１に示す実施例１に対して次の構成を加えている。まず、情報メモリ部１０７に既に記録されている再生コンテンツの識別情報と、自律神経の活性度値情報の関係情報の自律神経活性度値データＭ（Ｍｅｍｏｒｙ）と、動作時の自律神経活性度値データＮ（Ｎｏｗ）と、を比較する活性度値比較部２０１を設けている。
【００６６】
そして、活性度値比較部２０１へ自律神経活性度処理部１０３の出力バスを接続し、選択制御部１０８を介して情報メモリ部１０７からの情報を入力する。活性度値比較部２０１で比較して、比較されたデータ値が大小または等価のレベル判定を行う判定部２０２に転送する構成にしている。
【００６７】
判定部２０２での判定に基づいて情報メモリ部１０７に記録されている関係情報からコンテンツメモリ１０４に記録されているコンテンツデータＣ（Ｃｏｎｔｅｎｔｓ）を選択するように選択制御部１０８に伝えている。
【００６８】
情報メモリ部１０７には、ユーザー別の基準の自律神経の活性度値Ｍｓが予め記録されている。ここにおいて、活性度値比較部２０１が本発明に係る活性度値比較手段に相当し、判定部２０２は本発明に係るコンテンツ再生手段の一部として機能する。
【００６９】
その他の構成としては、図示していないが、電源部やユーザーに向けての表示部や全体の制御部がある。
【００７０】
次に動作の詳細を説明する。
図５の構成において、ここでも実施例１と同様の動作をし、コンテンツ視聴する前に人体１に機器を装着すると脈拍検出部１０１により脈拍が検出される。脈拍の心拍ゆらぎデータが周波数分析処理されることで自律神経の活性度値が求められる。
【００７１】
そのときの自律神経の活性度値をＮとする。上述したように、交感神経の活性度値のＬＦと副交感神経の活性度値のＨＦにてＬＦ／ＨＦを求めこれをＮとすることができる。
【００７２】
ユーザーはシステムの動作モードとして、「自律神経活性度対応コンテンツ再生モード」を入力操作部１０９にて指示する。これにより、ユーザー別に希望する自律神経の活性度状態になるようにコンテンツを自動的に選択して再生する動作に入る。
【００７３】
次に、ユーザーは希望する自律神経の活性度の状態を入力操作部１０９から入力する。ここで、たとえば、「交感神経が大の状態」、「副交感神経が大の状態」、「普通の状態」の３つ状態設定を想定する。この内「副交感神経が大の状態」を選択し入力されたとする。
【００７４】
予め情報メモリ部１０７に記録されている基準の自律神経の活性度値Ｍｓが選択制御部１０８にて読み出され活性度値比較部２０１に書き込まれる。その直後、自律神経活性度処理部１０３からの値Ｎが活性度比較部２０１に読み込まれ、値ＮとＭｓが比較される。
【００７５】
比較後、判定部２０２にて値ＮがＭｓより大きいか小さいか等価かを判定する。前述の３つの状態を、ここでは、値Ｎ＞Ｍｓを「交感神経が大の状態」、値Ｎ＜Ｍｓを「副交感神経が大の状態」、値Ｎ≒Ｍｓを「普通の状態」と予め設定されているとする。
【００７６】
ここにおいて、自律神経活性度値Ｎ＞Ｍｓであったとすると、交感神経が活性化していて大である状態と判定される。そこで選択制御部１０８は、希望する自律神経の活性度の状態が「副交感神経が大の状態」であるので、値Ｎ＜Ｍｓと関係付けられて記憶されている再生コンテンツの識別情報と自律神経の活性度値情報の関係情報の自律神経の活性度値データＭを情報メモリ部１０７から選び出す。
【００７７】
そして、そのコンテンツ識別情報からコンテンツデータＣを表示再生制御部１０５によってコンテンツメモリ部１０４から選択し、表示再生部１０６に転送する。表示再生部１０６では、表示再生制御部１０５から再生ＯＮの制御信号を受けて、そのデータを表示再生開始する。
【００７８】
ここでの例においては、自律神経活性度値Ｎ＞Ｍｓとして説明している。これに限られず、Ｎ≒Ｍｓの場合は「普通の状態」であり、それよりもユーザーは「副交感神経が大の状態」を希望するときもある。
【００７９】
このとき、同様の制御にてコンテンツデータＣを表示再生制御部１０５によってコンテンツメモリ部１０４から選択し表示再生部１０６に転送後、表示再生開始する。
【００８０】
Ｎ＜Ｍｓの場合は「副交感神経が大の状態」であり、値Ｎの状態またはそれよりも「副交感神経が大の状態」になるようなコンテンツデータＣを選び、同様の制御にて表示再生制御部１０５によってコンテンツメモリ部１０４から選択し表示再生部１０６に転送後、表示再生開始する。
【００８１】
希望する自律神経の活性度の状態が「副交感神経が大の状態」以外でも同様に制御される。ここで、希望する自律神経状態設定を３つの設定としたがそれより数多くの設定状態を設けたり、単純に固定の１つの設定にしたり各設定を替えることもできる。
【００８２】
この例では説明を簡単にするためＬＦ／ＨＦの値として、つまり１次元変数として動作説明したが、交感神経と副交感神経の２次元変数として複雑に評価判定することもできる。
【００８３】
例えば、交感神経の活性度が小さく、かつ副交感神経の活性度も小さいときに、その関係を反映してコンテンツが決まり選択されるような細かな設定でも動作させることも想定できる。
【００８４】
以上で説明した実施例２によれば、予め記録されたコンテンツに対する自律神経の活性度の関係情報を利用して、視聴直前の自律神経の活性度状態を踏まえて希望する自律神経の活性度状態になれるように自動的にコンテンツを選択し表示再生することができる。
【００８５】
なお、図２〜図４に示した脈拍検出部１０１の検出部分の一部分と表示再生部１０６の一部分を一体型にして人体１の耳部に装着できるようにした脈波センサ付イヤースピーカ１０の装置例は、本実施例においても適用できるものである。
【実施例３】
【００８６】
次に、本発明に実施例３に係るコンテンツ再生システムを説明する。実施例３は、実施例１とは異なり、コンテンツの再生として２種以上の複数のコンテンツを組み合わせ順序で表示再生し、再生開始時および再生中と再生後の自律神経の活性度の情報とコンテンツ組み合わせ情報と関係付けて記録するコンテンツ再生システムである。その構成を図６にブロック図を用いて示す。
【００８７】
図６は、図１の構成に対し、図１の情報メモリ部１０７を、同期情報メモリ部３０１に替え、また、図１の選択制御部１０８を、組み合わせ選択再生の制御ができる選択制御部３０２に替えた構成にしている。ここにおいて、同期情報メモリ部３０１は本発明に係る同期情報記録手段に相当し、選択制御部３０２は本発明に係るコンテンツ再生手段の一部として機能する。
【００８８】
コンテンツ再生開始時およびコンテンツ再生中と再生後の自律神経の活性度の情報は、コンテンツ再生の時間に同期した変化ある時系列自律神経の活性度値のデータとしている。
【００８９】
また、「同期情報」とは、自律神経の活性度値と、この自律神経の活性度値に対応しているコンテンツ識別情報と、組合せ順序情報と、を組み合わせた情報を言う。
【００９０】
この自律神経の活性度の時系列データは、同期情報メモリ部３０１に組み合わせ再生順序情報と共に関係付けて、同期情報として記録されるように構成している。時系列データは、開始時点と組み合わせ再生終了時点の２点を最少点数とすることができる。なお、ここでは細かく複数多点の時系列データを用いている。
【００９１】
複数のコンテンツとは、音楽楽曲コンテンツであれば曲目の異なる複数のコンテンツを言う。また、これに限られず、音楽楽曲コンテンツと視覚コンテンツの組み合わせのようなコンテンツの異なる複数種コンテンツの組み合わせ再生も用いることができる。
【００９２】
同期情報メモリ部３０１には、同期情報としてコンテンツメモリ部１０４にあるコンテンツの識別情報が記録され、かつ、複数の組み合わせのコンテンツが順に再生されるような組み合わせ再生順序情報が予め記録されている。
【００９３】
選択制御部３０２は同期情報メモリ部３０１の情報の記録時や読み出し時の制御を行う。その他の構成としては、図示していないが、電源部やユーザーに向けての表示部や全体の制御部がある。
【００９４】
次に、動作の詳細を説明する。既述の実施例と同様に、コンテンツ視聴する前に人体１に機器を装着すると脈拍検出部１０１により脈拍が検出される。そして、脈拍の心拍ゆらぎデータが周波数分析処理されることで自律神経の活性度値が求められる。
【００９５】
以下のように、交感神経の活性度値のＬＦと副交感神経の活性度値のＨＦまたはＬＦ／ＨＦの出力データは、コンテンツ再生タイミングに同期して同期情報メモリ部３０１に記録される。
【００９６】
ユーザーはシステムの動作モードとして、「組み合わせ順序再生−自律神経活性度記録モード」を入力制御部１０９にて指示する。これにより、組み合わせ順序再生中に自律神経の活性度が記録される動作モードに入る。
【００９７】
その後、同期情報メモリ部３０１に格納されている、複数の組み合わせのコンテンツを順に再生するような組み合わせ再生順序の情報リストが図示していない表示部に表示される。
【００９８】
ユーザーはリストを見て入力操作部１０９よりリストにある一つの組み合わせ順序を特定する。組み合わせ順序再生制御としてシステムは、選択制御部３０２により、表示再生制御部１０５を介してコンテンツメモリ部１０４から映像・画像・音声などのコンテンツデータを再生順に選択し表示再生部１０６に転送する。
【００９９】
これにより、順に表示再生動作を開始する。再生は、組み合わせ再生順序に従って終わりまで再生すると終了処理する。また、途中で、選択制御部３０２から停止コマンドが表示再生制御部１０５に転送されても停止するように制御しても良い。
【０１００】
「組み合わせ順序再生−自律神経活性度記録モード」時には、再生中前記の自律神経の活性度の検出が行われる。選択制御部３０２の制御によって、組み合わせ順序再生コンテンツ識別情報と共に時系列の自律神経の活性度値情報が関係付けられて同期情報メモリ部３０１にデータ記録される。
【０１０１】
同期情報メモリ部３０１は、ユーザー別としても、上述した同期情報として、組み合わせ順序再生コンテンツ識別情報と時系列の自律神経の活性度値情報の関係情報が記録できるように制御される。
【０１０２】
同期情報メモリ部３０１に記録されたデータは１回の組み合わせ順序再生の視聴による情報記録にしている。しかしながら、これに限られず、同一組み合わせ順序再生を複数回視聴したときの情報記録として、データの上書きモード、選択制御部３０２による時系列自律神経の活性度値の平均化処理モード記録、回数に応じたウェイト付け平均化処理モード記録、または他のユーザーのデータとの重畳平均化処理モード記録などを用いることができる。
【０１０３】
ここでは、予め記録されている組み合わせ順序再生として記述したが、ユーザー自身でも任意にコンテンツを選び再生順序を定めた組み合わせ順序再生プログラムが作成できるようにしても良い。  
【０１０４】
その場合、図示されていない表示部を見ながら入力操作部１０９と選択制御部３０２とで、コンテンツメモリ部１０４にあるコンテンツデータの識別情報をに基づいて同期情報メモリ部３０１からコンテンツを選択する。そして再生順序を定めた組み合わせ順序プログラムを作成し、同期情報メモリ部３０１に記録する。これにて組み合わせ再生順序の情報リストに新しく加えることができる。
【０１０５】
以上で説明した実施例３によれば、２種以上の複数のコンテンツを組み合わせ順序で表示再生しているときに、ユーザーが視聴したときの組み合わせ順序のコンテンツに対する自律神経の活性度情報がコンテンツの識別情報と共にデータベースとして自動的に作成できる。
【０１０６】
２種以上の複数のコンテンツ組み合わせ順序再生にて、自律神経活性度の多様な変化を認識することができる。細かく自律神経の活性度状態を変えたいときや希望する自律神経の活性状態にするときに利用できる２種以上複数のコンテンツの組み合わせ順序を知ることができる。
【０１０７】
なお、図２〜図４に示した脈拍検出部１０１の検出部分の一部分と表示再生部１０６の一部分を一体型にして人体１の耳部に装着できるようにした脈波センサ付イヤースピーカ１０の装置例は、本実施例においても適用できるものである。
【実施例４】
【０１０８】
次に、本発明の実施例４に係るコンテンツ再生システムについて説明する。図７は、本コンテンツ再生システムのブロック図を示している。本コンテンツ再生システムは、コンテンツを視聴する前にユーザーの自律神経の活性度値を検出し、その値に近い自律神経の活性度状態で視聴開始できる組み合わせ順序のコンテンツを、前もって自律神経の活性度値と関係付けて記録された情報の中から自動的に選び表示再生する。
【０１０９】
図７は、図６に対し次の構成としている。同期情報メモリ部３０１には、既に記録されている組み合わせ順序再生コンテンツの識別情報とコンテンツ再生開始時およびコンテンツ再生中と再生終了時においての自律神経の活性度の情報が記録されている。
【０１１０】
なお、「活性度初期値」とは、コンテンツ再生の初期区間における活性度値を言う。
【０１１１】
この記録されたコンテンツ再生開始時の自律神経の活性度値と再生開始前のユーザーの自律神経の活性度値を比較するために活性度初期値比較部４０１を設ける。
【０１１２】
活性度初期値比較部４０１は、自律神経活性度処理部１０３の出力側に接続されている。比較される一方のデータは、選択制御部３０２を介して同期情報メモリ部３０１からコンテンツ再生開始時の自律神経の活性度値が読み込めるように接続されている。
【０１１３】
比較後、等価であるか否かを判定する判定部４０２を設けている。判定部４０２は、活性度初期値比較部４０１の出力側に接続している。ここでの等価とは、自律神経の活性度値が近い値であるとして判定する。ここにおいて、活性度初期値比較部４０１は、本発明に係る活性度初期値比較手段に相当する。その他の構成としては、図示していないが、電源部やユーザーに向けての表示部や全体の制御部がある。
【０１１４】
次に、動作の詳細を説明する。既述した実施例と同様に、図７の構成にて、コンテンツを視聴中と前後の間、人体１に機器を装着すると脈拍検出部１０１により脈拍が検出され、脈拍の心拍ゆらぎデータが周波数分析処理されることで自律神経の活性度値が求められる。
【０１１５】
ユーザーはシステムの動作モードとして、「自律神経活性度初期対応組み合わせ順序再生モード」を入力操作部１０９にて指示する。これにより、ユーザー別にそのときの自律神経の活性度状態に近い状態で視聴開始できる組み合わせ順序のコンテンツを自動的に選択して再生する動作に入る。
【０１１６】
視聴コンテンツ選択は機器任せに行う「ランダムモード」と、ユーザーが特定する「指示モード」と、を選べるようになっている。そして、ユーザーは入力操作部１０９から指示入力する。
【０１１７】
ここでは、すべてのコンテンツを対象にした一般的な「ランダムモード」や「指示モード」ではなく、ユーザーの視聴直前の自律神経の活性度に近い状態で視聴できる複数の組み合わせ順序のコンテンツに限定された中からランダムに機器が選択して再生する場合と、その中からユーザーが組み合わせ順序のあるコンテンツを特定することにより再生する場合とを選べるようにしている。
【０１１８】
視聴直前に、自律神経活性度処理部１０３の出力からユーザーの自律神経の活性度値Ｎを活性度初期値比較部４０１へ読み込む。活性度初期値比較部４０１は選択制御部３０２を介して同期情報メモリ部３０１からコンテンツ再生開始時の自律神経の活性度値と関係付けて記録された組み合わせ順序のコンテンツの情報を複数読み込む。
【０１１９】
活性度初期値比較部４０１は順次、コンテンツ再生開始時の自律神経の活性度値と自律神経の活性度値Ｎとを比較をして判定部４０２で判定をする。ここで、等価と判断した場合だけ、その値に近いコンテンツ再生開始時の自律神経の活性度値と関係付けて記録された組み合わせ順序のコンテンツが複数選ばれる。
【０１２０】
「ランダムモード」の場合は、選択制御部３０２はその複数の組み合わせ順序のコンテンツ情報を制御プログラムがランダムに１つだけ選択特定する。それを表示再生制御部１０５に転送する。これにより、その２種以上の複数のコンテンツをコンテンツメモリ部１０４から取り出し表示再生部１０６に転送し順次表示再生を開始する。
【０１２１】
「指示モード」の場合は、選択制御部３０２から図示していない表示部にて複数の組み合わせ順序のコンテンツ情報をリスト表示するように制御する。その表示のリストをユーザーが見て、その中から１つだけ入力操作部１０９にて特定する。
【０１２２】
特定された複数の組み合わせ順序のコンテンツ情報は、選択制御部３０２から表示再生制御部１０５に転送される。そして、その２種以上の複数のコンテンツをコンテンツメモリ部１０４から取り出す、次に、表示再生部１０６に転送し、順次表示再生を開始する。
【０１２３】
以上で説明した実施例４によれば、予め記録された２種以上の複数のコンテンツに対する自律神経の活性度の関係情報を利用して、同質である自律神経の活性度を活用してコンテンツ再生開始時に違和感を少なくした再生ができる。
【０１２４】
例えば交感神経が高ぶっているとき副交感神経が大きくなるようなコンテンツを再生し始めた場合、反して余計交感神経が高ぶる不具合がある。本実施例によれば、それを回避するために視聴始めは同質のコンテンツの視聴で自律神経を馴染ませてから視聴を続けることができる。
【０１２５】
なお、図２〜図４に示した脈拍検出部１０１の検出部分の一部分と表示再生部１０６の一部分を一体型にして人体１の耳部に装着できるようにした脈波センサ付イヤースピーカ１０の装置例は、本実施例においても適用できるものである。
【実施例５】
【０１２６】
次に、本発明の実施例５に係るコンテンツ再生システムについて説明する。図８は、実施例５に係るコンテンツ再生システムのブロック図を示している。本コンテンツ再生システムは、コンテンツを視聴する前にユーザーの自律神経の活性度値を検出し、その値に近い自律神経の活性度状態で視聴開始できて、かつ、ユーザーが希望する終期自律神経活性度状態に合った組み合わせ順序のコンテンツを自動的に選び表示再生するものである。
【０１２７】
図８は、図７に対し次の構成に替えている。活性度初期値比較部４０１から、活性度初期値のみならず終期値も比較する活性度初期・終期値比較部５０１に替える。なお、「活性度終期値」とは、コンテンツ再生の終了区間における活性度値を言う。
【０１２８】
ここで、ユーザーの視聴前の自律神経の活性度値と活性度初期値と活性度終期値を比較する。活性度初期・終期値比較部５０１は、自律神経活性度処理部１０３の出力側に接続されている。
【０１２９】
比較される一方のデータは、選択制御部３０２を介して同期情報メモリ部３０１からコンテンツ再生開始時の自律神経の活性度値とコンテンツ再生終了時の自律神経の活性度値が読み込まれるように接続されている。
【０１３０】
比較後、大または小または等価であるかを判定する判定部５０２を設けている。判定部５０２は、活性度初期・終期値比較部５０１の出力側に接続している。その他の構成としては、図示していないが、電源部やユーザーに向けての表示部や全体の制御部がある。
【０１３１】
次に、動作の詳細を説明する。既述した実施例と同様に、図８の構成にて、コンテンツを視聴中と前後に人体１に機器を装着すると脈拍検出部１０１により脈拍が検出される。そして、脈拍の心拍ゆらぎデータが周波数分析処理される。これにより、自律神経の活性度値が求められる。そのときの自律神経の活性度値をＮとする。
【０１３２】
ユーザーはシステムの動作モードとして、「自律神経活性度初期終期対応組み合わせ順序再生モード」を入力操作部１０９にて指示する。これにより、ユーザー別にそのときの自律神経の活性度状態に近い状態で視聴開始でき、かつ、ユーザーが希望する終期自律神経活性度状態に合った組み合わせ順序のコンテンツを自動的に選択して再生する動作に入る。
【０１３３】
次に、ユーザーは希望する終期自律神経活性度の状態を入力操作部１０９から入力する。ここで、たとえば、「交感神経が大の状態」、「副交感神経が大の状態」、「普通の状態」の３つ状態設定を考える。この内「副交感神経が大の状態」を選択し入力されたとする。
【０１３４】
視聴直前に、先ず、ユーザーの自律神経の活性度値Ｎを自律神経活性度処理部１０３から活性度初期・終期値比較部５０１に読み込む。活性度初期・終期値比較部５０１は、選択制御部３０２を介して同期情報メモリ部３０１からコンテンツ再生開始時の自律神経活性度値と関係付けて記録された組み合わせ順序のコンテンツの情報を複数読み込む。
【０１３５】
活性度初期・終期値比較部５０１は、順次、コンテンツ再生開始時の自律神経の活性度値と自律神経の活性度値Ｎとを比較をして判定部５０２で判定をする。ここで、等価と判断した場合だけ、その値に近いコンテンツ再生開始時の自律神経の活性度値と関係付けて記録された組み合わせ順序のコンテンツが複数選ばれる。その複数データをＬとする。
【０１３６】
次に、予め同期情報メモリ部３０１に記録されている基準の自律神経の活性度値Ｍｓが選択制御部３０２にて読み出され、活性度初期・終期値比較部５０１に書き込まれる。値ＮとＭｓが比較される。
【０１３７】
比較後、判定部５０２にて値ＮがＭｓより大きいか小さいか等価かが判定される。前述の３つの状態を、ここでは、値Ｎ＞Ｍｓを「交感神経が大の状態」、値Ｎ＜Ｍｓを「副交感神経が大の状態」、値Ｎ≒Ｍｓを「普通の状態」と予め設定されているとする。
【０１３８】
この場合、自律神経活性度値Ｎ＞Ｍｓであったとすると、交感神経が活性化していて大である状態と判定される。そこで、選択制御部３０２は、希望する終期自律神経活性度の状態が「副交感神経が大の状態」とする値Ｎ＜Ｍｓと関係付けられて記憶されている再生コンテンツの識別情報と自律神経の活性度値情報の関係情報の自律神経の活性度値データを、前述で選択された複数データＬの中から選び出す。
【０１３９】
特定された複数の組み合わせ順序のコンテンツ情報を選択制御部３０２から表示再生制御部１０５に転送すると、その２種以上の複数のコンテンツをコンテンツメモリ部１０４から取り出し表示再生部１０６に転送し順次表示再生を開始する。
【０１４０】
ここでの例においては、自律神経活性度値Ｎ＞Ｍｓとして説明している。しかしながら、これに限られず、Ｎ≒Ｍｓの場合は「普通の状態」であり、それよりも「副交感神経が大の状態」を希望するとき、同様の制御にて前述で選択された複数データＬの中から選び出す。
【０１４１】
特定された複数の組み合わせ順序のコンテンツ情報を選択制御部３０２から表示再生制御部１０５に転送すると、その２種以上の複数のコンテンツをコンテンツメモリ部１０４から取り出し表示再生部１０６に転送し順次表示再生を開始する。
【０１４２】
また、Ｎ＜Ｍｓの場合は「副交感神経が大の状態」であり、値Ｎの状態またはそれよりも「副交感神経が大の状態」になるような複数の組み合わせ順序のコンテンツ情報を前述で選択された複数データＬの中から選び出す。
【０１４３】
特定された複数の組み合わせ順序のコンテンツ情報を選択制御部３０２から表示再生制御部１０５に転送すると、その２種以上の複数のコンテンツをコンテンツメモリ部１０４から取り出し表示再生部１０６に転送し順次表示再生を開始する。希望する自律神経の活性度の状態が、「副交感神経が大の状態」以外でも同様に制御される。
【０１４４】
以上で説明した実施例５によれば、同質である自律神経の活性度を活用してコンテンツ再生開始時に違和感を少なくした再生を開始し、視聴覚終了後は希望する自律神経の活性度の状態にもって行くことができる。
【０１４５】
なお、図２〜図４に示した脈拍検出部１０１の検出部分の一部分と表示再生部１０６の一部分を一体型にして人体１の耳部に装着できるようにした脈波センサ付イヤースピーカ１０の装置例は、本実施例においても適用できるものである。
【実施例６】
【０１４６】
次に、本発明の実施例６に係るコンテンツ再生システムについて説明する。図９は、本コンテンツ再生システムのブロック図を示している。本コンテンツ再生システムは、コンテンツを視聴する前にユーザーの自律神経の活性度値を検出し、その値に近い自律神経の活性度状態で視聴開始できて、かつ、ユーザーが希望する終期自律神経活性度状態に合った組み合わせ順序のコンテンツを自動的に選び表示再生しているとき、視聴中での自律神経の活性度の状態が所定の状態になっているかを比較し、継続または停止または別のデータを選択し、２種以上の複数のコンテンツを変更して表示再生するものである。
【０１４７】
図９は、図８に対し次の構成を加えている。実施例４での、組み合わせ順序のコンテンツを再生しているときの時系列自律神経活性度値のパターンに関係し、視聴中のパターンと記録済みのパターンを比較するパターン比較部６０１を設ける。
【０１４８】
パターン比較部６０１は、自律神経活性度処理部１０３の出力側に接続されている。比較される一方のデータは、選択制御部３０２を介して同期情報メモリ部３０１から記録済みの組み合わせ順序のあるコンテンツを再生したときの時系列自律神経活性度値が読み込めるように接続されている。
【０１４９】
そして、パターンを比較して近いか否かの比較判定する判定部６０２が接続されている。その出力側を次の適応再生制御部６０３に接続している。適応再生制御部６０３は、表示再生中の自律神経の活性度の状態が所定範囲内の状態になっているかを随時監視して、所定値範囲内のときは表示再生を継続し、所定値範囲外になっていると表示再生を停止させるか、または選択制御部３０２を介して別の組み合わせ順序のコンテンツに変更して再生する機能を有する。
【０１５０】
ここにおいて、パターン比較部６０１は本発明に係る時系列活性度パターン比較手段に相当し、適応再生制御部６０３は本発明に係る適応再生制御手段の一部として機能する。
その他の構成としては、図示していないが、電源部やユーザーに向けての表示部や全体の制御部がある。
【０１５１】
次に、動作の詳細を説明する。表示再生動作は実施例５とほぼ同じである。ここでも、コンテンツを視聴中と前後に人体１に機器を装着すると脈拍検出部１０１により脈拍が検出され、脈拍の心拍ゆらぎデータが周波数分析処理されることで自律神経の活性度値が求められる。
【０１５２】
ユーザーはシステムの動作モードとして、「自律神経活性度対応組み合わせ順序適応再生モード」を入力操作部１０９にて指示すると、ユーザー別にそのときの自律神経の活性度状態に近い状態で視聴開始できて、かつ、ユーザーが希望する終期自律神経活性度状態に合った組み合わせ順序のコンテンツを自動的に選択して、かつ、視聴中に自律神経の活性度の状態パターンが所定の状態になっているかを比較し、継続または停止または別のデータを選択し２種以上の複数のコンテンツを変更して表示再生する動作に入る。
【０１５３】
表示再生動作の開始は、ユーザーの希望する終期自律神経活性度を選択する実施例５と同様に動作するとして、ここでの記述は省略する。
【０１５４】
表示再生中、そのときの時系列自律神経活性度値はパターン比較部６０１に自律神経活性度処理部１０３から入力され、そのパターン情報をＰＮとする。一方、記録されているパターン情報をＰＭとし、選択制御部３０２を介して同期情報メモリ部３０１からパターン比較部６０１に入力する。ここでは２つの比較方法を用いることができる。そのどちらかの動作が行われる。
【０１５５】
先ず一つ目の方法として、パターン比較部６０１では、両パターンに対しその時々の自律神経の活性度のポイントごとに差分を取り、その絶対値を積算した値Ｅを次の判定部６０２に転送する。
【０１５６】
予め、パターンの類似度合いを判定するための基準とする差分値の絶対値の最大許容値ＥＭを同期情報メモリ部３０１に記録しておく。そして、動作に入る前に判定部６０２に転送しておく。
【０１５７】
その値Ｅが、Ｅ＞ＥＭとなったとき、次の適応再生制御部６０３にその判定情報を転送することで表示再生を停止させる制御信号を表示再生制御部１０５へ送る。その信号を受けて表示再生制御部１０５から表示再生部１０６に停止制御データが送られて、表示再生を停止する。ここで、Ｅ≦ＥＭである間は停止制御されず表示再生が継続される。
【０１５８】
また、値ＥがＥ＞ＥＭの場合、停止する以外に、複数データＬかつ希望する終期自律神経活性度の状態設定に合ったデータの残りがあるので、別の組み合わせ順序のコンテンツを選び変更して表示再生するようにしている。
【０１５９】
そのとき、再生適応再生制御部６０３から選択制御部３０２を介して複数データＬかつ希望する終期自律神経活性度の状態設定に合ったデータの残りから別の組み合わせ順序のコンテンツが選ばれ表示再生制御部１０５に転送されると、２種以上の組み合わせ順序のコンテンツをコンテンツメモリ部１０４から取り出し表示再生部１０６に転送し表示再生を開始する。
【０１６０】
比較方法として二つ目の方法では、時系列自律神経活性度値の変化の微分値または二次微分値によるパターン比較方法があり、表示再生時と記録時で自律神経の活性度状態が大きく異なる場合、これにて検出することもある。
【０１６１】
比較方法はこれだけに限定されるものではなく、自律神経の活性度状態のパターンの変化が異なることが比較評価できればその他の方法でもよい。
【０１６２】
以上で説明した実施例６によれば、同質である自律神経の活性度を活用してコンテンツ再生開始時に違和感を少なくした再生を開始し、視聴覚終了後は希望する自律神経の活性度の状態にしようと制御するが、ユーザーの心身状態の違いによっては希望した自律神経の状態にならないことや、たまたまの異なった状況になっていることも想定され、その場合表示再生を停止して誤動作防止することができる。また、別のコンテンツを表示再生して動作を修正することができる。
【０１６３】
なお、図２〜図４に示した脈拍検出部１０１の検出部分の一部分と表示再生部１０６の一部分を一体型にして人体１の耳部に装着できるようにした脈波センサ付イヤースピーカ１０の装置例は、本実施例においても適用できるものである。
【産業上の利用可能性】
【０１６４】
以上のように、本発明は、コンテンツ再生システムにおいて有用であり、特に、映像や音楽などの視聴コンテンツおよび五感を含めた表示コンテンツの表示再生に関わるコンテンツ選択支援再生システムとして有用である。
【図面の簡単な説明】
【０１６５】
【図１】本発明の実施例１に係るコンテンツ再生システムの構成を説明するブロック図である。
【図２】同上実施例に係る脈波センサ付イヤースピーカ１０の装置例を示す図である。
【図３】図２の脈波センサ付イヤースピーカ１０の内部構造を示す図である。
【図４】図３のセンサ部分の断面図である。
【図５】本発明の実施例２に係るコンテンツ再生システムの構成を説明するブロック図である。
【図６】本発明の実施例３に係るコンテンツ再生システムの構成を説明するブロック図である。
【図７】本発明の実施例４に係るコンテンツ再生システムの構成を説明するブロック図である。
【図８】本発明の実施例５に係るコンテンツ再生システムの構成を説明するブロック図である。
【図９】本発明の実施例６に係るコンテンツ再生システムの構成を説明するブロック図である。
【符号の説明】
【０１６６】
１      人体
１０１  脈拍検出部
１０２  脈拍メモリ部
１０３  自律神経活性度処理部
１０４  コンテンツメモリ部
１０５  表示再生制御部
１０６  表示再生部
１０７  情報メモリ部
１０８  選択制御部
１０９  入力操作部
２０１  活性度値比較部
３０１  同期情報メモリ部
３０２  選択制御部
４０１  活性度初期値比較部
５０１  活性度初期・終期値比較部
５０２  判定部
６０１  パターン比較部
６０３  適応再生制御部
【図１】
2007323171.tif 000003
【図２】
2007323171.tif 000004
【図３】
2007323171.tif 000005
【図４】
2007323171.tif 000006
【図５】
2007323171.tif 000007
【図６】
2007323171.tif 000008
【図７】
2007323171.tif 000009
【図８】
2007323171.tif 000010
【図９】
2007323171.tif 000011